【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該走査光学手段の画角による該回折部の回折効率変化と、該屈折部の透過率変化とを相殺させるように設定したことを特徴とする走査光学装置。
【請求項２】
前記光源手段から射出される光束の偏光方向を前記走査光学手段の画角による回折部の回折効率変化と屈折部の透過率変化とを相殺するように設定したことを特徴とする請求項１記載の走査光学装置。
【請求項３】
前記光源手段から射出される光束の偏光方向が主走査断面に対して略平行となるように、該光源手段を配置したことを特徴とする請求項１記載の走査光学装置。
【請求項４】
前記画角をθとし、該画角θにおける前記回折部の回折効率をＩｄ（θ）、前記屈折部の透過率をＩｔ（θ）としたとき、走査画角内において、
０．８＜（Ｉｄ（θ）×Ｉｔ（θ））／（Ｉｄ（０）×Ｉｔ（０））＜１．２
なる条件を満足することを特徴とする請求項１、２又は３記載の走査光学装置。
【請求項５】
前記光源手段は半導体レーザーより成ることを特徴とする請求項１、２又は３記載の走査光学装置。
【請求項６】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つの反射手段を配置し、該走査光学手段の画角による回折部の回折効率変化と屈折部の透過率変化、及び該反射手段の画角による反射率変化とを相殺させるように設定したことを特徴とする走査光学装置。
【請求項７】
前記光源手段から射出される光束の偏光方向を前記走査光学手段の画角による回折部の回折効率変化と屈折部の透過率変化、及び前記反射手段の画角による反射率変化とを相殺するように設定したことを特徴とする請求項６記載の走査光学装置。
【請求項８】
前記光源手段から射出される光束の偏光方向が主走査断面に対して略平行となるように、該光源手段を配置したことを特徴とする請求項６記載の走査光学装置。
【請求項９】
前記光源手段から射出される光束の偏光方向が主走査断面に対して略垂直となるように、該光源手段を配置したことを特徴とする請求項６記載の走査光学装置。
【請求項１０】
前記画角をθとし、該画角θにおける前記走査光学手段の回折部の回折効率をＩｄ（θ）、屈折部の透過率をＩｔ（θ）、前記反射手段の反射率をＩｒ（θ）としたとき、走査画角内において、
０．８＜（Ｉｄ（θ）×Ｉｔ（θ）×Ｉｒ（θ））／（Ｉｄ（０）×Ｉｔ（０）×Ｉｒ（０））＜１．２
なる条件を満足することを特徴とする請求項６、７、８又は９記載の走査光学装置。
【請求項１１】
前記光源手段は半導体レーザーより成ることを特徴とする請求項６、７、８又は９記載の走査光学装置。
【請求項１２】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つのフィルターを配置し、該走査光学手段の画角による回折部の回折効率変化と屈折部の透過率変化、及び該フィルターの画角による透過率変化とを相殺させるように設定したことを特徴とする走査光学装置。
【請求項１３】
前記光源手段から射出される光束の偏光方向を前記走査光学手段の画角による回折部の回折効率変化と屈折部の透過率変化、及び前記フィルターの画角による透過率変化とを相殺するように設定したことを特徴とする請求項１２記載の走査光学装置。
【請求項１４】
前記光源手段から射出される光束の偏光方向が主走査断面に対して略平行となるように、該光源手段を配置したことを特徴とする請求項１２記載の走査光学装置。
【請求項１５】
前記光源手段から射出される光束の偏光方向が主走査断面に対して略垂直となるように、該光源手段を配置したことを特徴とする請求項１２記載の走査光学装置。
【請求項１６】
前記画角をθとし、該画角θにおける前記走査光学手段の回折部の回折効率をＩｄ（θ）、屈折部の透過率をＩｔ（θ）、前記フィルターの透過率をＩｆ（θ）としたとき、走査画角内において、
０．８＜（Ｉｄ（θ）×Ｉｔ（θ）×Ｉｆ（θ））／（Ｉｄ（０）×Ｉｔ（０）×Ｉｆ（０））＜１．２
なる条件を満足することを特徴とする請求項１２、１３、１４又は１５記載の走査光学装置。
【請求項１７】
前記光源手段は半導体レーザーより成ることを特徴とする請求項１２、１３、１４又は１５記載の走査光学装置。
【請求項１８】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該走査光学手段の画角をθとし、該画角θにおける該回折部の回折効率をＩｄ（θ）、該屈折部の透過率をＩｔ（θ）としたとき、走査画角内において、
０．８＜（Ｉｄ（θ）×Ｉｔ（θ））／（Ｉｄ（０）×Ｉｔ（０））＜１．２
なる条件を満足することを特徴とする走査光学装置。
【請求項１９】
前記光源手段から射出される光束の偏光方向が主走査断面に対して略平行となるように、該光源手段を配置したことを特徴とする請求項１８記載の走査光学装置。
【請求項２０】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つの反射手段を配置し、該走査光学手段の画角をθとし、該画角θにおける該走査光学手段の回折部の回折効率をＩｄ（θ）、屈折部の透過率をＩｔ（θ）、該反射手段の反射率をＩｒ（θ）としたとき、走査画角内において、
０．８＜（Ｉｄ（θ）×Ｉｔ（θ）×Ｉｒ（θ））／（Ｉｄ（０）×Ｉｔ（０）×Ｉｒ（０））＜１．２
なる条件を満足することを特徴とする走査光学装置。
【請求項２１】
前記光源手段から射出される光束の偏光方向が主走査断面に対して略平行となるように、該光源手段を配置したことを特徴とする請求項２０記載の走査光学装置。
【請求項２２】
前記光源手段から射出される光束の偏光方向が主走査断面に対して略垂直となるように、該光源手段を配置したことを特徴とする請求項２０記載の走査光学装置。
【請求項２３】
光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つのフィルターを配置し、前記走査光学手段の画角をθとし、該画角θにおける前記走査光学手段の回折部の回折効率をＩｄ（θ）、屈折部の透過率をＩｔ（θ）、前記フィルターの透過率をＩｆ（θ）としたとき、走査画角内において、
０．８＜（Ｉｄ（θ）×Ｉｔ（θ）×Ｉｆ（θ））／（Ｉｄ（０）×Ｉｔ（０）×Ｉｆ（０））＜１．２
なる条件を満足することを特徴とする走査光学装置。
【請求項２４】
前記光源手段から射出される光束の偏光方向が主走査断面に対して略平行となるように、該光源手段を配置したことを特徴とする請求項２３記載の走査光学装置。
【請求項２５】
前記光源手段から射出される光束の偏光方向が主走査断面に対して略垂直となるように、該光源手段を配置したことを特徴とする請求項２３記載の走査光学装置。
【請求項２６】
前記光源手段は半導体レーザーより成ることを特徴とする請求項１〜２５のいずれか１項に記載の走査光学装置。
【請求項２７】
前記光源手段は複数の光束を射出することを特徴とする請求項１〜２６のいずれか１項に記載の走査光学装置。
【請求項２８】
請求項１〜２７のいずれか１項に記載の走査光学装置を用いて画像形成を行うことを特徴とする画像形成装置。
【手続補正２】
【補正対象書類名】明細書
【補正対象項目名】００２５
【補正方法】変更
【補正の内容】
【００２５】
請求項１８の発明の走査光学装置は、光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該走査光学手段の画角による該回折部の回折効率変化と、該屈折部の透過率変化とを相殺させるように設定したことを特徴としている。
請求項１９の発明は、請求項１８の発明において、前記光源手段から射出される光束の偏光方向が主走査断面に対して略平行となるように、該光源手段を配置したことを特徴としている。
請求項２０の発明の走査光学装置は、光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つの反射手段を配置し、該走査光学手段の画角をθとし、該画角θにおける該走査光学手段の回折部の回折効率をＩｄ（θ）、屈折部の透過率をＩｔ（θ）、該反射手段の反射率をＩｒ（θ）としたとき、走査画角内において、
０．８＜（Ｉｄ（θ）×Ｉｔ（θ）×Ｉｒ（θ））／（Ｉｄ（０）×Ｉｔ（０）×Ｉｒ（０））＜１．２
なる条件を満足することを特徴としている。
請求項２１の発明は、請求項２０の発明において、前記光源手段から射出される光束の偏光方向が主走査断面に対して略平行となるように、該光源手段を配置したことを特徴としている。
請求項２２の発明は、請求項２０の発明において、前記光源手段から射出される光束の偏光方向が主走査断面に対して略垂直となるように、該光源手段を配置したことを特徴としている。
請求項２３の発明の走査光学装置は、光源手段から射出された光束を偏向手段に導光し、該偏向手段で偏向された光束を少なくとも一面に回折部と、少なくとも一面に屈折部とを有する走査光学手段により被走査面上に結像させ、該被走査面上を光走査する走査光学装置において、
該偏向手段と該被走査面との間の光路内に少なくとも１つのフィルターを配置し、前記走査光学手段の画角をθとし、該画角θにおける前記走査光学手段の回折部の回折効率をＩｄ（θ）、屈折部の透過率をＩｔ（θ）、前記フィルターの透過率をＩｆ（θ）としたとき、走査画角内において、
０．８＜（Ｉｄ（θ）×Ｉｔ（θ）×Ｉｆ（θ））／（Ｉｄ（０）×Ｉｔ（０）×Ｉｆ（０））＜１．２
なる条件を満足することを特徴としている。
請求項２４の発明は、請求項２３の発明において、前記光源手段から射出される光束の偏光方向が主走査断面に対して略平行となるように、該光源手段を配置したことを特徴としている。
請求項２５の発明は、請求項２３の発明において、前記光源手段から射出される光束の偏光方向が主走査断面に対して略垂直となるように、該光源手段を配置したことを特徴としている。
請求項２６の発明は、請求項１〜２５のいずれか１項の発明において、前記光源手段は半導体レーザーより成ることを特徴としている。
請求項２７の発明は、請求項１〜２６のいずれか１項の発明において、前記光源手段は複数の光束を射出することを特徴としている。
請求項２８の発明の画像形成装置は、請求項１〜２７のいずれか１項に記載の走査光学装置を用いて画像形成を行うことを特徴としている。